(57)【要約】本発明は、前置増幅段（４１）；増幅段（４２）；および増幅段（４２）の構成を識別するための識別手段（４５）を備える増幅器回路（５０）に関する。本発明によると、アダプテーション手段（４６）は、前置増幅段（４１）を、前置増幅段が増幅段（４２）に、増幅段が対称モードにて動作するように構成されているときは反対の位相の２つの信号を供給し、増幅段が非対称モードに構成されているときは同相の２つの信号を供給するように構成する。本発明によると、増幅器を、柔軟に、対称あるいは非対称モードに構成することができ、増幅器の性能が、選択されたモードに関係なく、最適化される。用途：チューナ出力信号の増幅。
2004502373.tif 000002
【特許請求の範囲】
【請求項１】
増幅器回路であって、この増幅器回路が：
前置増幅段、
増幅段、および
前記増幅段の構成を識別するための識別手段を備え、前記増幅器回路がさらに前置増幅段が増幅段に：
前記増幅段が対称モードに構成されている場合は反対の位相の２つの信号を供給し、
前記増幅段が非対称モードに構成されている場合は同相の２つの信号を供給するように、前記前置増幅段を構成するためのアダプテーション手段を備えることを特徴とする増幅器回路。
【請求項２】
前記前置増幅段が２つの前置増幅器を備え、これらが両方とも前記増幅器回路の２つの入力と前記増幅段の２つの入力の間に配置され、前記アダプテーション手段が、二者択一的に、前記２つの前置増幅器の一方を起動し、他方を不能にすることを特徴とする請求項１記載の増幅器回路。
【請求項３】
前記前置増幅段が、前記増幅器回路の入力に接続された制御端子を持つロングテイルペアを形成する２つのトランジスタから成る第一の前置増幅器を備えることを特徴とする請求項２記載の増幅器回路。
【請求項４】
前記前置増幅段が、前記増幅器回路の入力に並列に接続された制御端子を持つ、第一および第二のロングテールペアを形成する、２個づつ並べて配置された４つのトランジスタから成る第二の前置増幅器を備え、第一および第二のロングテールペアのそれぞれは、前記増幅段の入力端子の一つに接続された出力端子を有していることを特徴とする請求項２記載の増幅器回路。
【請求項５】
前記増幅段構成内の前記識別手段が前記増幅段の出力に接続された検出手段を備え、この検出手段が増幅器回路によって生成される出力電流の方向に依存して決定される方向の電流を供給するための少なくとも一つの出力端子を有していることを特徴とする請求項１記載の増幅器回路。
【請求項６】
前記増幅段構成内の前記識別手段が前記検出手段に接続された選択手段を備え、この選択手段が前記検出手段の出力端子から供給される電流の方向に従って二者択一的に付勢される２つの出力を持つことを特徴とする請求項５記載の増幅器回路。
【請求項７】
前記アダプテーション手段が前記識別手段から供給される情報を格納するためのフリップフロップを備え、このフリップフロップの論理出力が前記前置増幅段に接続されたことを特徴とする請求項１記載の増幅器回路。
【請求項８】
請求項１記載の増幅器回路を備えることを特徴とするチューナ。
【請求項９】
請求項８記載のチューナを備えることを特徴とする電波信号を受信するための受信機。
【請求項１０】
前置増幅段、および
増幅段、を備える増幅器回路の動作を最適化するための方法であって、この方法が前記増幅段の構成を識別するためのステップを含み、この方法が、さらに前置増幅段が増幅段に：
増幅段が対称モードに構成されている場合は反対の位相の２つの信号を供給し、
増幅段が非対称モードに構成されている場合は同相の２つの信号を供給するように、前記前置増幅段を構成する構成ステップを含むことを特徴とする方法。
【発明の詳細な説明】
【０００１】
発明の分野
本発明はチューナの分野に関する。本発明はさらに内部にこのようなチューナが実装されるデバイス、例えば、テレビジョン受信機、ビデオレコーダあるいはデコーダボックスに関する。本発明は、より具体的には、
・前置増幅段、
・増幅段、および
・増幅段の構成を識別するための識別手段を備える増幅器回路に関する。
【０００２】
従来の技術
上述のような増幅器回路が国際公開第００／２１１９３号公報の下で公開されたＰＣＴ特許出願において開示されている。
【０００３】
この特許出願によると、増幅段５１１が非対称モードに構成されると、つまり、この増幅段の異なる出力が互いに接続されると、制御手段５３によって制御される整流子Ｓｗによって増幅段５１１の出力Ｏ２の一つがグランドに接続される。対称モードにて動作するように最適化された増幅段が、非対称モードにて動作された場合、増幅特性の劣化を招く。この劣化の規模は、増幅段の出力の１つをグランドに接続することで、ある程度押さえることができる。一つの改善された代替実施例においては、上述の特許出願の図２に示すように、整流子手段２５１３は、２つの整流子から成る。増幅段２５１１が対称モードに構成された場合は、第一の整流子ＳＷ２２が開かれ、増幅器回路の利得は第一のセットの抵抗Ｒ１、Ｒ２およびＲ３によって決定される。増幅段２５１１が非対称モードに構成された場合は、増幅段の単一出力ブランチが用いられ、こうしてこのブランチの利得が増加される。この目的に対しては、整流子ＳＷ２２は閉じた状態にされ、抵抗Ｒ３がこの回路内に導入され、これによってまだ使用されているこのブランチの利得が増加される。
【０００４】
ただし、この特許出願は、整流子手段ＳＷ、ＳＷ２１、ＳＷ２２を起動あるいは非起動状態にどのようにして制御するかについては示さない。さらに、当業者においてはよく理解できるように、増幅特性の劣化を押さえるために増幅器回路を調節（修正）する上述のやり方では、単にこの劣化が緩和されるだけであり、この修正は非対称モードにて達成できる最適なものではない。
【０００５】
発明の簡単な説明
本発明の一つの目的は、上述の短所を克服するために、適宜、対称あるいは非対称モードに柔軟に構成することができ、この際、回路の性能が、この構成の結果としての回路の動作モードとは関係なく、自動的に最適化される増幅器回路を提供することにある。
【０００６】
こうして、本発明によると、冒頭に記載の増幅器回路は、前置増幅段が増幅段に：
増幅段が対称モードに構成されている場合は反対の位相の２つの信号を供給し、
増幅段が非対称モードに構成されている場合は同相の２つの信号を供給するように、前置増幅段を構成するためのアダプテーション手段を備える。
【０００７】
本発明の効用として、動作のいずれのモード、つまり、対称モードと非対称モードのいずれのモードにおいても、増幅器回路の性能は、利得、線形性および出力インピーダンスの点で、各モードにおける動作に対して回路に期待される最適な状態に維持される。こうして、従来の技術とは異なり、この増幅器回路は、増幅器回路がそれに対して設計された構成とは異なる構成の結果として発生する性能の劣化を単に押さえるだけでなく、各構成に対して性能を最適化することができる。
【０００８】
従来の技術による増幅器回路においては、増幅段の一部分が非対称モードでの動作の際に不能にされ、これによって他方の部分の利得が増加された。本発明によると、増幅段全体が、選択された構成とは関係なく、増幅器回路の出力信号を生成するために有効に用いられる。
【０００９】
こうして、この最も一般的なモードにおいては、本発明は、
前置増幅段、および
増幅段、を備える増幅器回路の動作を最適化するための方法に関する。この方法は増幅段の構成を識別するステップを含むが、本発明によると、この方法は（改善点として）さらに前置増幅段を構成する構成ステップを含み、この結果として、増幅段には：
増幅段が対称モードに構成されている場合は反対の位相の２つの信号が供給され、
増幅段が非対称モードに構成されている場合は同相の２つの信号が供給される。
【００１０】
本発明の一つの実施例によると、前置増幅段は２つの前置増幅器を備え、これらは両方とも増幅器回路の２つの入力と増幅段の２つの入力の間に配置され、アダプテーション手段は、二者択一的に、２つの前置増幅器の一方を起動し、他方を不能にする。
【００１１】
第一の前置増幅器は、入力信号を、これら出力の各々の所に存在する信号が互いに反対の位相となるように増幅する。第二の前置増幅器は、入力信号を、前置増幅段の出力の各々の所に存在する信号が同相となるように増幅する。
【００１２】
他の長所が、付録の図面との関連で行なわれる本発明の実施例の説明から明らかになるものである。図面中、類似の参照符号は類似のパーツを示す。
【００１３】
【発明の実施の形態】
図１は、入力段の構成要素、この実施例においてはアンテナ１の下流に、
一つあるいは複数の帯域通過フィルタ３を通じてアンテナ信号を受信する増幅器２、および
増幅器２からの信号をフィルタ４を通じて受信するチューナ５を備える電波信号を受信するための受信機、例えば、テレビジョン受信機に関する。
【００１４】
チューナ５は中間周波数を持つ出力信号を供給する。通常、チューナは、要素２〜４の単一チェーンのみから構成されることはなく、チューナは、しばしば、この実施例においては参照符号６と７によって簡略的に示される追加のチェーンも含む。これらチェーンの各々は、そのチェーンの動作バンド内に含まれる特定の周波数に同調することができる。チューナ５の出力の所の中間周波数ＩＦは常に等しく、この値は通常３０〜６０ＭＨｚの範囲にある。
【００１５】
図２は、チューナ５を簡略的に示す。チューナ５はミキサ８を含み、ミキサ８は、入力９の所に増幅されたアンテナ信号を受信し、入力１０の所に局部発振器１１からの信号を受信する。発振器１１の周波数は位相固定ループ１２によって制御され、位相固定ループ自身は、バス１３を通じて、マイクロコントローラ１４によって制御される。ミキサ８の出力１５は中間周波数信号を運ぶが、これは、一つあるいは複数のチャネル、例えば、単側波帯（ｓｉｇｌｅ ｓｉｄｅｂａｎｄ、ＳＳＢ）にて伝送される。複数のチャネルが存在する場合は、この信号は、例えば、これらチャネルを分離するための表面波フィルタ（ｓｕｒｆａｃｅ ｗａｖｅ ｆｉｌｔｅｒ）１６に導入される。ヨーロッパにおいて通常用いられている第一のバリアント（変形例）においては、表面波フィルタ１６は、例えば、５００Ωの高インピーダンスフィルタから成り、信号の導入は帯域通過フィルタ１７を通じて行なわれる。ダッシュにて示されるアジアにおいて通常用いられている第二のバリアント（変形例）においては、ミキサ８の出力信号１５は、増幅器１８によって増幅された後に、出力２０を持つ音波フィルタ（ａｃｏｕｓｔｉｃ ｗａｖｅ ｆｉｌｔｅｒ）１６内に導入される。一つあるいは複数のフィルタ、例えば、ある周波数を捕捉するために用いられるフィルタ１９が、出力信号１５をフィルタリングするために用いられる。上述の実施例においては、本発明による回路がチューナ５の下流に配置される。
【００１６】
図３は、本発明の一つの特定の実施例による２つの入力２０、２０’および２つの出力２８、２８’を持つ増幅器回路５０を示す。増幅器回路５０は、前置増幅段４１を備え、この２つの入力は増幅器回路の入力２０、２０’に接続され、この２つの出力は２つの増幅器２２、２２’から成る増幅段４２の２つの入力に接続される。前置増幅段４１は、前置増幅段の入力２０、２０’と出力２７、２７’の間に並列に配置される第一と第二の前置増幅器３１、４４から構成される。第一の前置増幅器３１の出力は位相が反対の信号を運ぶ。第二の前置増幅器４４の出力は同相の信号を運ぶ。これら２つの前置増幅器３１、４４は、同時に動作することは決してなく；これらは増幅段４２の構成に従って二者択一的に動作する。第二の前置増幅器４４自身は２つの部分２１、２１’から成る。
【００１７】
各部分３１、２１および２１’は、それぞれ、トランジスタ（２３、２４）；（２３’、２４’）；および（２３”、２４”）のロングテイルペア（ｌｏｎｇ−ｔａｉｌ ｐａｉｒ）から成り、この制御端子はこれらトランジスタのベースから形成され、この出力端子はこのロングテイルペアのトランジスタの一つのコレクタによって形成される。トランジスタ２４、２４’および２４”のベースは入力２０に接続され、トランジスタ２４、２４’および２４”のベースは入力２０’に接続される。第二の前置増幅器４４内に含まれるロングテイルペア（２３’、２４’）および（２３”、２４”）の制御端子は両方のロングテイルペアとも同一に結ばれているために、第二の前置増幅器４４の出力２７と２７’は同相の電流信号を供給する。加えて、好ましくは、前置増幅器３１と４４内に含まれるロングテイルペア（２３、２４）；（２３’、２４’）；および（２３”、２４”）の利得は、増幅器回路の柔軟性を増すために、可変とされる。これは、当分野において周知の技法に従って、可変電流源を用いて、上述のロングテイルペアをバイアスすることで達成される。この実施例においては、バイポーラ型のトランジスタが用いられるが、これらトランジスタの代わりにＭＯＳ型のトランジスタを用いることもでき、この場合は、これらのグリッドによって制御端子が形成される。２つの増幅器２２、２２’は、前置増幅器３１あるいは４４のどちらが起動されているかに関係なく、同時に使用される。
【００１８】
前置増幅段４１の構成は以下のように遂行される：説明の実施例においては、第一の対称出力前置増幅器３１がデフォルトとして選択される。勿論、第二の前置増幅器４４をデフォルトとして選択することもできる。増幅器回路５０の出力２８、２８’の接続を、短絡回路構成、つまり、非対称モードとするか、或いは負荷インピーダンスに接続するか、つまり、対称モードとするかは、ほとんどの場合、最終的にはこの増幅器回路を備える装置の製造業者によって決定される。増幅器回路５０には、増幅段４２の構成を識別するための識別手段４５が設けられ、この識別手段は、出力２８と２８’の間の負荷インピーダンス（図示せず）に並列に接続される。
この識別手段４５はいわゆる選択信号を生成する。この信号の値によって、弱い負荷インピーダンスが存在するか、つまり、所定の閾値より低い負荷インピーダンス値が存在するか、あるいは、増幅器回路５０が対称モードとなるように構成されたときの状況に対応する標準負荷インピーダンスが存在するかを識別する。この選択信号はアダプテーション手段４６に送られる。選択信号が、増幅段４２は対称モードにて動作するようには構成されてないことを示す場合、つまり、デフォルトとして用意された前置増幅器３１が用いられていることを示す場合、この選択信号によってアダプテーション手段４６が起動される。アダプテーション手段が起動されると、アダプテーション手段によって第一の前置増幅器３１のトランジスタ（２３、２４）は不能にされ、第二の前置増幅器４４のトランジスタ（２３’、２４’）；（２３”、２４”）が起動される。これらトランジスタの起動（ａｃｔｉｖａｔｉｏｎ）あるいは不能化（ｄｅａｃｔｉｖａｔｉｏｎ）は、それぞれ、これらトランジスタをバイアスする電流源を起動あるいは不能にすることで達成される。
【００１９】
図４および図５は識別手段４５の実施例を示す。
図４は、識別手段４５内に含まれる検出手段６０を示す。図４には、増幅器２２、２２’が示されるが、これら増幅器は、それぞれ、ポイント５１、５１’と出力２８、２８’との間に配置された出力抵抗Ｒｓ４７、４７’を持つ。負荷インピーダンスＲＬは２つの出力２８と２８’の間に配列されるものと想定される。図４に示す検出手段は、それぞれ、第一と第二の主ブランチ４８、４８’を含む。第一の主ブランチ４８は３つのブランチ５２、５３、５４から成る。ブランチ５２の一端はブランチ４８の出力に接続される。ブランチ４８はトランジスタを含み、このコレクタは出力５５に接続され、このエミッタは抵抗Ｒｍを通じて増幅器２２の出力抵抗４７の出力２８と反対側の接続５１に接続される。中央ブランチ５３は、ダイオード構成に配列されたトランジスタを含み、このコレクタは、このトランジスタのコレクタとバイアス電圧源との間に配置された抵抗Ｒｃおよびこのトランジスタのエミッタと出力２８との間に配置された抵抗Ｒｍに対して直列に配置されたベースに接続される。ブランチ５４はブランチ５２と同一である。ブランチ５４のトランジスタのコレクタは、ブランチ４８の出力５５に接続され、エミッタは値Ｒｍの抵抗を通じて増幅器２２’の出力２８’に接続される。
【００２０】
識別手段４５内に含まれるこれら検出手段６０の第二の主ブランチ４８’とブランチ４８は、負荷抵抗ＲＬの虚軸中点（ｉｍａｇｉｎａｒｙ ｃｅｎｔｅｒ ｐｏｉｎｔ）０に対して互いに対称にされ、こうして負荷抵抗ＲＬが各々ＲＬ／２なる値を持つ２半分の抵抗に分割される。抵抗ＲＬは、Ｖｏｕｔｄｃと呼ばれるＤＣ成分とＶｏｕｔａｃと呼ばれるＡＣ成分を持つＶｏｕｔと呼ばれる出力電圧を生成する。アイドル状態、すなわち、ＡＣ成分Ｖｏｕｔａｃが不在の状態においては、ブランチ５４はブランチ５４の電流ミラーとなる。
【００２１】
ＡＣ成分Ｖｏｕｔａｃが負荷抵抗ＲＬの端子の所に出現すると、ブランチ５４の抵抗Ｒｍは追加の電圧を受け、結果として追加の電流ｉ’＝Ｖｏｕｔａｃ／Ｒｍを生成する。説明の残りの部分との関連で、ＲｃがＲｍより遥かに大きな場合は、Ｖｏｕｔｄｃ／（Ｒｃ＋Ｒｍ）に等しいアイドル電流ｉは、ｉ’よりも遥かに小さくなることに注意する。例えば、Ｒｃ＝１０Ｒｍの場合、ｉ’はｉより１０倍以上も大きくなる。このため、以下の説明においてはアイドル電流ｉは無視することができる。ＲＬ／２が出力抵抗Ｒｓの和に等しい場合は、ブランチ５２内に存在する電流ｉ”はｉ’と等しくなる。この場合は、ブランチ４８の出力５５の所の電流は０となる。ＲＬがＲｓより遥かに大きい場合は、ブランチ５４内の電流ｉ’はブランチ５２内の電流ｉ”よりも遥かに大きくなる。この場合は、出力５５の所の電流の方向はブランチ５４内の電流ｉ’の方向と同一となる。ブランチ４８’についても同一の結果が得られる。出力５５’の所の電流はブランチ５４’内の電流ｉ’と同一方向に流れる。ＲＬがＲｓより遥かに小さな場合は、これは出力２８と２８’の間の短絡状態に対応するが、ブランチ５４内の電流ｉ’はブランチ５２内の電流ｉ”より小さくなる。この場合は、出力の所に、ブランチ５２内の電流ｉ”と同一方向に流れる電流が存在する。このことはブランチ４８’についても言える。
【００２２】
こうして、ブランチ４８と４８’の出力５５、５５’の所に存在する電流の流れの方向は、抵抗ＲＬとＲｓの相対値に依存して、増幅器２２、２２’の出力の所の電流の流れの方向と同一あるいは反対となる。出力５５、５５’の所の電流の流れの方向と、増幅器２２、２２’の出力の所の電流の流れの方向との比較から、増幅器回路が対称モードに接続されているか、あるいは非対称モードに接続されているかを知ることができる。この回路の理解をより深めるために、以下に、単に一例として、幾つかの数値を与える。抵抗ＲｍとＲｃは、それぞれ、４ｋΩと４０ｋΩのオーダを持つ。５００Ωの負荷インピーダンスが、１ナノファラッドの溶接容量（ｗｅｌｄｉｎｇ ｃａｐａｃｉｔｙ）に対応する２Ωの短絡回路にて互いに短絡された２つの出力２８、２８’に接続された場合、２５μＡの電流が得られ、出力５５、５５’の所に１００ｍＶの出力電圧の振幅が供給されるが、これはアダプテーション手段内に含まれる論理回路を起動するのに十分である。これら値は、出力信号Ｖｏｕｔは、検出手段６０によって全く妨害されないことを示す。
【００２３】
図５は識別手段４５内に含まれる選択手段７０を示す。これら選択手段は選択信号を形成する電流を生成することを意図されるが、この電流の方向は常に同一であり、抵抗ＲＬとＲｓの相対的な値にのみ依存する。この回路は２つの出力Ｋ、Ｋ’を持つ。抵抗ＲＬとＲｓの相対的な値に依存して、これら出力の内の１つのみが付勢される。選択手段７０は、それぞれ、ＮＰＮトランジスタ５７、５８および５７’、５８’の第一と第二のペア６１、６１’を含むＧＩＬＢＥＲＴ（ギルバート）セル５９を備える。
【００２４】
選択手段は、さらに、ダイオード構成に配列されたＰＮＰトランジスタ６３を備え、このベースとコレクタは上述の検出手段の出力５５に接続される。２つのＰＮＰトランジスタ６４、６５がトランジスタ６３に対して電流ミラー構成に配置される。トランジスタ６４のコレクタはダイオード構成に配列されたＮＰＮトランジスタ６６に接続される。ＰＮＰトランジスタ６６のコレクタはＧＩＬＢＥＲＴ（ギルバート）セル５９のトランジスタ５７’、５８’の第二のペア６１’の共通エミッタに接続される。選択手段７０は、対称的なやり方で、ダイオード構成に配列されたＰＮＰトランジスタ６３’を備え、このベースとコレクタは図４との関連で説明した検出手段のもう一つの出力５５’に接続される。２つのトランジスタ６５’と６４’がトランジスタ６３’に対して電流ミラー構成に配列される。ＰＮＰトランジスタ６４’のコレクタはダイオード構成に配列されたＮＰＮトランジスタ６６’のコレクタに接続される。トランジスタ６５’のコレクタはＧＩＬＢＥＲＴ（ギルバート）セル５９の第一のペア６１のトランジスタ５７、５８の共通エミッタに接続される。
【００２５】
各ペア６１、６１’の第一のトランジスタ５７、５７’のコレクタは回路７０の出力を形成するポイントＫに接続され、各ペア６１、６１’の第二のトランジスタ５８、５８’のコレクタは回路７０のもう一つの出力を形成するポイントＫ’に接続される。各ペア６１、６１’のトランジスタの共通エミッタは、それぞれ、ＮＰＮトランジスタ６７、６７’に接続され、これらトランジスタ６７、６７’は、それぞれ、トランジスタ６６、６６’に対して電流ミラー構成に配列される。ペア６１の第一のトランジスタ５７のベースとペア６１’の第二のトランジスタ５８’のベースは、一緒に、増幅段の出力２８に接続される。ペア６１’の第二のトランジスタ５７’のベースと第一のペア６１の第一のトランジスタ５８のベースは、一緒に、増幅段の出力２８’に接続される。図示しないが、出力端子２８、２８’と、それぞれ、トランジスタ（５７、５８’）と（５７’、５８）のベースの間に、ＧＩＬＢＥＲＴ（ギルバート）セル５９の線形性を改善するために、抵抗を挿入することもできる。
【００２６】
選択手段７０の動作は以下の通りである：検出手段６０の出力５５、５５’によって電流信号が供給された場合、出力ＫあるいはＫ’の一方のみが電流を供給する。続く交替の時間（ｓｕｂｓｅｑｕｅｎｔ ａｌｔｅｒｎａｔｉｏｎ ｔｉｍｅ）において、検出手段６０の出力５５、５５’によって供給される電流信号が方向を変えた場合は、ＧＩＬＢＥＲＴ（ギルバー ト）セル５９のトランジスタ５７、５８’および５７’、５８のベースの、出力２８、２８’から受信されるバイアスも反転し、結果として、ＧＩＬＢＥＲＴ（ギルバー ト）セル５９の出力の所の電流は、前の交替の時点と同一出力であるＫあるいはＫ’の所に存在する。
【００２７】
こうして、出力２８と２８’の間に存在する負荷抵抗ＲＬが、増幅器２２、２２’の出力抵抗Ｒｓより大きいか、あるいは逆に、増幅器２２、２２’のこの出力抵抗Ｒｓより小さいかに依存して、出力ＫあるいはＫ’の一方が電流を供給する。例えば、ＲＬがＲｓより遥かに小さい場合は出力Ｋが電流を供給し、反対の場合は出力Ｋ’が供給する。
【００２８】
図６は、増幅器回路５０の異なる部分の間の接続を示すために、図３のアセンブリを再び簡略的に示す。増幅段４２の出力５１、２８、５１’、２８’は識別手段４５内に含まれる検出手段６０に対する入力を形成する。識別手段４５の一部分を構成する選択手段７０は検出手段６０の出力５５、５５’からの電流を受け取る。選択手段７０の出力Ｋ、Ｋ’は、選択信号を生成し、これはアダプテーション手段４６内に含まれるメモリフリップフロップに加えられる。このメモリフリップフロップの出力ＱおよびＱｎｏｔは起動（ａｃｔｉｖａｔｉｏｎ）あるいは（ｄｅａｃｔｉｖａｔｉｏｎ）不能化信号を供給し、これは次に増幅器回路５０の増幅段４１に供給される。
【００２９】
上述の実施例においては、選択信号によって出力Ｋが起動され、出力Ｋ’は不能にされた場合、これは、負荷抵抗ＲＬの値が抵抗Ｒｓと比べて遥かに低いこと、つまり、増幅段４２が非対称モードに構成されるべきことを意味する。すると、アダプテーション手段４６の出力ＱとＱｎｏｔは、それぞれ、例えば、１と０によって表される起動と非起動状態に入り、こうして、第二の前置増幅器４４のロングテイルペアをバイアスする電流源が起動され、第一の前置増幅器３１のロングテイルペアは不能にされる。
【図面の簡単な説明】
【図１】本発明が内部に実装される電波信号用受信機の機能図である。
【図２】このような受信機内に含まれるチューナの機能図である。
【図３】本発明による実施例の機能図である。
【図４】増幅段の構成を識別するための識別手段の一部の実施例の電気回路図である。
【図５】増幅段の構成を識別するための識別手段のもう一つの部分の実施例の電気回路図である。
【図６】図３〜図５の合成図である。
【符号の説明】
１　アンテナ
２　増幅器
３　帯域通過フィルタ
５　チューナ
８　ミキサ
１１　局部発振器
１２　位相固定ループ
１６　表面波フィルタ
１８　増幅器
１９　フィルタ
４１　前置増幅段
４２　増幅段
４５　識別手段
４６　アダプテーション手段
５０　増幅器回路
５９　ＧＩＬＢＥＲＴ（ギルバート）セル
６０  検出手段
７０  選択手段
【国際公開パンフレット】
2004502373.tif 000003
2004502373.tif 000004
2004502373.tif 000005
2004502373.tif 000006
2004502373.tif 000007
2004502373.tif 000008
2004502373.tif 000009
2004502373.tif 000010
2004502373.tif 000011
2004502373.tif 000012
2004502373.tif 000013
2004502373.tif 000014
2004502373.tif 000015
2004502373.tif 000016
2004502373.tif 000017
2004502373.tif 000018
2004502373.tif 000019
2004502373.tif 000020
【国際調査報告】
2004502373.tif 000021
2004502373.tif 000022